(57)【要約】  電子ビューファインダ３は、反射型液晶ディスプレイ３１５と、ファインダ光学系３２と、ファインダ光学系３２によって集光された光学画像信号の一部を透過し、残りの少なくとも一部を反射する透過板３４とを備える。液晶ディスプレイ３１５は、光を放射する光源３１１と、液晶板３１５と、反射板３１６と、偏光板３１４とを備える。透過板３４を、透過面３４１がファインダ光学系３２の光軸に対して垂直とならないように偏光板３１４の傾斜方向とは反対方向に傾斜して配置する。
2010007747.tif 000002
【特許請求の範囲】
【請求項１】
撮像装置に設けられる電子ビューファインダ装置であって、
光学画像信号を出力する反射型液晶ディスプレイと、
前記反射型液晶ディスプレイから出力された光学画像信号を集光するファインダ光学系と、
前記ファインダ光学系によって集光された光学画像信号の一部を透過し、残りの少なくとも一部を反射する透過板と、
を備え、
前記反射型液晶ディスプレイは、
光を放射する光源と、
前記ファインダ光学系の光軸上に該光軸に対して表面が垂直となるように配置された液晶板と、
前記液晶板の裏面側に前記ファインダ光学系の光軸上に該光軸に対して反射面が垂直となるように配置され、前記液晶板を介して光源から入射した光を反射する反射板と、
前記ファインダ光学系の光軸に対して垂直とならないように傾斜して配置され、前記光源から放射された光を前記反射板側に反射すると共に、前記液晶板を通過して反射板で反射された光を光学画像信号としてファインダ光学系側へ透過させる偏光板と、
を備え、
前記透過板は、
透過面が前記ファインダ光学系の光軸に対して垂直とならないように前記偏光板の傾斜方向とは反対方向に傾斜して配置される、
電子ビューファインダ装置。
【請求項２】
請求項１に記載の電子ビューファインダ装置であって、
撮像装置に備えられる場合に、
前記偏光板および透過板は、傾斜させたことにより光軸方向で前記ファインダ光学系に近づく側が、離れる側に対して前記撮像装置の上下方向で下方に位置するように配置される、
電子ビューファインダ装置。
【請求項３】
請求項１に記載の電子ビューファインダ装置を備えた撮像装置。
【請求項４】
請求項３に記載の撮像装置であって、
前記偏光板および透過板は、傾斜させたことにより光軸方向で前記ファインダ光学系に近づく側が、離れる側に対して前記撮像装置の上下方向で下方に位置するように配置される、
撮像装置。
【発明の詳細な説明】
【技術分野】
【０００１】
本発明は、反射型液晶ディスプレイを備える電子ビューファインダ装置、及び撮像装置に関する。
【背景技術】
【０００２】
特許文献１に、電子ビューファインダ装置として反射型液晶を利用したものが開示されている。この電子ビューファンダーは、反射型の表示手段と、表示手段を照明する照明手段と、照明手段からの光束を反射して表示手段へ導き、かつ表示手段からの反射光を通過する光路分割手段と、光路分割手段を通過した表示手段からの光束を観察者の瞳に導く接眼光学系とを有している。
【先行技術文献】
【特許文献】
【０００３】
【特許文献１】特開２００３−２０４４５５号公報
【発明の概要】
【発明が解決しようとする課題】
【０００４】
ところで、反射型液晶ディスプレイを備える電子ビューファインダにおいては一般的に、接眼部分にカバー部材（透過板）を設ける。カバー部材は、ファインダ光学系の光軸に対して垂直になるように設けられている。【０００５】
しかし、このような構造の場合、反射型液晶ディスプレイから出力されて透過板に入射した光が、透過板の透過面で反射され、反射型液晶ディスプレイに入射する可能性がある。これでは、この入射した光がさらに反射型液晶ディスプレイで反射され、そのため、使用者が反射型液晶ディスプレイから出力された光学画像信号を見る際、ゴースト若しくは迷光が現われる場合がある。【０００６】
この問題が発生する原理を、図１２、１３を用いて簡単に説明する。図１２は、上記電子ビューファンダーの光の経路を示す模式図である。電子ビューファインダ３は、反射型液晶ディスプレイ３１と、ファインダ光学系３２と、透過板３４とを備える。反射型液晶ディスプレイ３１は、光源３１１と、拡散板３１２と、第１偏光板３１３と、第２偏光板３１４と、液晶３１５と、反射板３１６とを備える。第２偏光板３１４は、第１偏光板３１３と光の偏光軸が直交するように配置されている。液晶３１５は、電圧が与えられない状態でねじれて配列するように形成されている。【０００７】
次に、光源３１１から放射された光の経路を説明する。光源３１１から放射された自然光は、拡散板３１２によって拡散される。拡散板３１２で拡散された自然光は、第１偏光板３１３によって直線偏光だけが透過される。第１偏光板３１３によって透過された直線偏光は、第２偏光板３１４で反射される。第２偏光板３１４で反射された直線偏光は、電圧が与えられていない液晶３１５を通過する際、偏光軸が４５度ねじられる（旋回される）。この偏光軸が４５度ねじられた直線偏光は、反射板３１６によって反射される。反射板３１６で反射された直線偏光は、再度液晶３１５を通過する際、偏光軸が４５度ねじられる。結局、電圧が与えられていない液晶３１５を通過して、反射された直線偏光は、偏光軸が９０度ねじられることになる。これによって、偏光軸が９０度ねじられた直線偏光は、（以下、内部偏光と称す）は、第２偏光板３１４を透過し、光学画像信号となって、反射型液晶ディスプレイ３１から出力される。一方、第２偏光板３１４で反射された直線偏光は、電圧が与えられた液晶３１５を通過する際、偏光軸がねじられない。したがって、電圧が与えられている液晶３１５を通過して、反射された直線偏光は、第２偏光板３１４で反射される。【０００８】
図１３は、液晶３１５の上端から出力された光の経路の一例を示す。反射型液晶ディスプレイ３１から出力された光は、ファインダ光学系３２で屈折されて、透過板３４に入射する。透過板３４では、入射された光の一部が透過し、残りの一部が透過面３４１で反射される。この透過板３４の透過面３４１で反射された光は、ファインダ光学系３２を介して、反射型液晶ディスプレイ３１に入射する。この反射型液晶ディスプレイ３１に入射する光は、第２偏光板３１４を通過する偏光軸を持つ内部偏光であるため、第２偏光板３１４を通過し、液晶３１５面に入射する。この液晶３１５面に入射した光は、液晶３１５に電圧が与えられている場合、そのままの偏光軸で透過し、反射板３１６で反射される。このため、反射板３１６で反射された光は、再度、第２偏光板３１４を透過する。このため、第２偏光板３１４を通過した光は、ファインダ光学系３２を介して、透過板３４に入射する。これによって透過板３４に入射した光が、透過され使用者の目に映ると、ゴースト若しくはフレアとなって現れてしまう。【０００９】
また、透過板３４の透過面３４１で反射され、ファインダ光学系３２を通過した光は、第２偏光板３１４におけるファインダ光学系３２側の面で一部が反射され、仮想線で示すように、再度、ファインダ光学系３２を介して、透過板３４に入射する場合がある。これによって透過板３４に入射した光が、透過され使用者の目に映ると、同様に、ゴースト若しくはフレアとなって現れてしまう。【００１０】
本発明は、上記課題を解決するためになされたものであり、反射型液晶ディスプレイが設けられた電子ビューファインダにおいて、透過板の透過面での反射に伴って生じるゴースト若しくは迷光の発生を軽減できる電子ビューファインダを提供することを目的とする。
【課題を解決するための手段】
【００１１】
本発明に係る電子ビューファインダ装置は、光学画像信号を出力する反射型液晶ディスプレイと、反射型液晶ディスプレイから出力された光学画像信号を集光するファインダ光学系と、ファインダ光学系によって集光された光学画像信号の一部を透過し、残りの少なくとも一部を反射する透過板とを備える。反射型液晶ディスプレイは、光を放射する光源と、ファインダ光学系の光軸上に該光軸に対して表面が垂直となるように配置された液晶板と、液晶板の裏面側に前記ファインダ光学系の光軸上に該光軸に対して反射面が垂直となるように配置され、液晶板を介して光源から入射した光を反射する反射板と、ファインダ光学系の光軸に対して垂直とならないように傾斜して配置され、光源から放射された光を反射板側に反射すると共に、液晶板を通過して反射板で反射された光を光学画像信号としてファインダ光学系側へ透過させる偏光板とを備え、前記透過板は、透過面が前記ファインダ光学系の光軸に対して垂直とならないように前記偏光板の傾斜方向とは反対方向に傾斜して配置される。【００１２】
また、本発明は、電子ビューファインダ装置を備えた撮像装置である。この撮像装置の電子ビューファインダ装置は、光学画像信号を出力する反射型液晶ディスプレイと、反射型液晶ディスプレイから出力された光学画像信号を集光するファインダ光学系と、ファインダ光学系によって集光された光学画像信号の一部を透過し、残りの少なくとも一部を反射する透過板とを備える。反射型液晶ディスプレイは、光を放射する光源と、ファインダ光学系の光軸上に該光軸に対して表面が垂直となるように配置された液晶板と、液晶板の裏面側に前記ファインダ光学系の光軸上に該光軸に対して反射面が垂直となるように配置され、液晶板を介して光源から入射した光を反射する反射板と、ファインダ光学系の光軸に対して垂直とならないように傾斜して配置され、光源から放射された光を反射板側に反射すると共に、液晶板を通過して反射板で反射された光を光学画像信号としてファインダ光学系側へ透過させる偏光板とを備え、前記透過板は、透過面が前記ファインダ光学系の光軸に対して垂直とならないように前記偏光板の傾斜方向とは反対方向に傾斜して配置される。
【発明の効果】
【００１３】
本発明によれば、透過板の透過面がファインダ光学系の光軸に対して垂直とならないように傾斜して配置されている。これにより、当該透過面によって反射された光学画像信号が当該ファインダ光学系を介して前記反射板に入射するのを軽減することができる。よって、反射型液晶ディスプレイが設けられた電子ビューファインダ装置において、ゴースト若しくは迷光の発生を軽減できる。【００１４】
また、透過板は、偏光板の傾斜方向とは反対方向に傾斜して配置されている。換言すれば、偏光板は、透過板の傾斜方向とは反対方向に傾斜して配置されている。したがって、透過面によって反射された光学画像信号がファインダ光学系を介して偏光板に入射した場合でも、入射した光線がファインダ光学系を介して透過板方向に戻るのが軽減される。これにより、反射型液晶ディスプレイが設けられた電子ビューファインダ装置において、ゴースト若しくは迷光の発生をより一層軽減できる。
【図面の簡単な説明】
【００１５】
【図１】本発明の実施の形態に係るカメラシステムの構成例の概要を示すブロック図
【図２】本発明の実施の形態に係る外装ケースの上部材を取り外したカメラ本体の斜視図
【図３】本発明の実施の形態に係るカメラ本体の斜視図
【図４】本発明の実施の形態に係る電子ビューファインダの斜視図
【図５】本発明の実施の形態に係る電子ビューファインダの分解斜視図
【図６】図４の電子ビューファインダのＡ−Ａ断面を説明するための模式図
【図７】本発明の実施の形態に係る透過板の角度の調整を説明するための図
【図８】本発明の実施の形態に係る電子ビューファインダ内の光の経路を説明するための模式図
【図９】本発明の実施の形態に係る電子ビューファインダ内の光の経路を説明するための模式図
【図１０】本発明の実施の形態に係る電子ビューファインダ内の光の経路を説明するための模式図
【図１１】本発明の実施の形態と他の実施の形態の各構成要素の配置例を説明するための図
【図１２】本発明の課題を説明するための図
【図１３】本発明の課題を説明するための図
【発明を実施するための形態】
【００１６】
以下、本発明の一実施の形態を、図面を参照して説明する。本発明をカメラシステムに適用した例を説明する。
【００１７】
（実施の形態１）
１．カメラシステムの概要
カメラシステム１は、図１のように、カメラ本体２と、カメラ本体２に着脱可能な交換レンズ９と、を備える。カメラ本体２は、電子ビューファインダ３と、ＣＭＯＳイメージセンサ４と、画像処理部５と、コントローラ６と、カードスロット７と、電源ボックス８と、を備える。これによって、カメラ本体２は、ＣＭＯＳイメージセンサ４で撮像され、生成された画像データを、電子ビューファインダ３に表示できる。また、カメラ本体２は、カードスロット７に挿入されるメモリカードＸに記憶された画像データを、電子ビューファインダ３に表示することもできる。
【００１８】
具体的には、ＣＭＯＳイメージセンサ４は、交換レンズ９で集光された光学的信号を画像データに変換する。そして画像処理部５は、ＣＭＯＳイメージセンサ４で変換された画像データに所定の画像処理を施す。所定の画像処理としては、ＹＣ変換、電子ズーム処理、圧縮処理等が考えられるが、これに限られるものではない。画像処理部５は、画像処理を施した画像データを、電子ビューファインダ３に出力する。これによって、ＣＭＯＳイメージセンサ４で撮像され、生成された画像データを、電子ビューファインダ３に表示できる。また、コントローラ６は、カードスロット７に挿入されたメモリカードＸに記憶された画像データを読み出し、電子ビューファインダ３に出力する。これによって、メモリカードＸに記憶された画像データを、電子ビューファインダ３に表示できる。
【００１９】
２．電子ビューファインダの構成
図２はカメラ本体の斜視図、図３はカメラ本体の外装ケースの上部材を取り外した状態を示す斜視図、図４は電子ビューファインダの斜視図である。電子ビューファインダ３は、カメラ本体２の外装ケースにおける上部材が外された状態で、カメラ本体２の外装ケースの下部材に設けられたシャーシに、ネジで螺着される。電子ビューファインダ３は、画像処理部５やコントローラ６が設けられる基板と、フレキシブル配線基板３６によって接続される。このフレキシブル配線基板３６は、画像データ用の信号線と、電源用の信号線を有する。これによって、電子ビューファインダ３は、画像処理部５やコントローラ６から出力される画像データを受け付けることが可能である。また、電子ビューファインダ３は、電源ボックス８に設けられる電池から電力供給を受ける。
【００２０】
電子ビューファインダ３は、図４、図５に示すように、反射型液晶ディスプレイ３１と、ファインダ光学系３２と、視度調整機構３３と、透過板３４と、ファインダユニット筐体３５と、フレキシブル配線基板３６と、裏ケース３７と、を備える。
【００２１】
反射型液晶ディスプレイ３１は、画像処理部５やコントローラ６から受け付けた画像データを光学画像信号として出力できる。反射型液晶ディスプレイ３１は、図６に示すように、光源３１１と、拡散板３１２と、第１偏光板３１３と、第２偏光板３１４と、液晶３１５と、反射板３１６と、反射防止マスク３１７と、液晶ドライバ３１８と、を備える。第２偏光板３１４、液晶３１５、反射板３１６、反射防止マスク３１７、液晶ドライバ３１８、及び透過板３４は、ファインダ光学系３２の光軸上に配置されている。反射型液晶ディスプレイ３１が画像データを光学画像信号として出力する際の動作は、課題の部分で説明した通りである。
【００２２】
なお、反射型液晶ディスプレイ３１の各部は、下記のように実現できる。光源３１１は、３色のＬＥＤ光源で実現できる。光源３１１は、ファインダ光学系３２の光軸の側方に配置されている。拡散板３１２は、拡散シートで実現できる。第１偏光板３１３や第２偏光板３１４は、ＰＢＳ（偏光ビームスプリッタ）で実現できる。反射板３１６は、シリコンウェハで実現できる。反射防止マスク３１７は、反射を防止できる部材である。この反射防止マスク３１７は、光を吸収できるように、無反射塗装を施している。塗料としては、例えば、エポキシ系黒色塗料やアクリル系黒色塗料などを用いることができる。液晶ドライバ３１８は、フレキシブル配線基板３６と接続されるコネクタを背面に有し、反射型液晶ディスプレイ３１を駆動する基板である。裏ケース３７は、フレキシブル配線基板３６がコネクタに接続された状態で、ファインダユニット筐体３５に係合可能に構成されている。
【００２３】
ファインダ光学系３２は、３枚のレンズを含んでいる。ファインダ光学系３２は、反射型液晶ディスプレイ３１から出力された光学画像信号を集光する。図６は、図４の電子ビューファインダ３のＡ−Ａ断面を説明するための模式図である。図６は、電子ビューファインダ３をカメラシステム１に取り付けた場合の向きで記載しており、図６の上下方向及び上側がカメラシステム１の上下方向及び上側に対応する。ファインダ光学系３２は、ファインダユニット筐体３５に、近視側位置と遠視側位置との間で光軸方向に沿って移動自在に支持されている。ファインダ光学系３２は、視度調整機構３３により移動される。視度調整機構３３は、メカニカルな部材（ツマミ３３１とギア３３２）で実現されている。使用者は、ツマミ３３１を操作することで、反射型液晶ディスプレイ３１からの光学画像信号が見えやすくなるように、ファインダ光学系３２の位置を移動させることができる。
【００２４】
透過板３４は、ガラス又はプラスチックなどで構成され、ファインダユニット筐体３５に取り付けられる。透過板３４は、平面平行板で構成されている。つまり、透過板３４は、平行な２つの平面を有している。１つの平面が透過面３４１である。なお、本実施の形態では、透過板３４を、平行な２つの平面を有するように構成した。このように構成したので、透過板を透過した光は、収差を生じにくくなる。
【００２５】
また、透過板３４は、ファインダ光学系３２によって集光された光学画像信号の一部を透過する。光学画像信号の残りの一部は透過面３４１で反射される。透過板３４は、透過面で反射された光学画像信号がファインダ光学系３２を介して反射型液晶ディスプレイ３１の反射板３１６に入射しないように、透過面３４１がファインダ光学系３２の光軸に対して垂直にならないように傾斜して設けられている。具体的には、本実施形態においては、第２偏光板３１４は、その下端がその上端よりも光軸方向において前記ファインダ光学系３２に近くなるように傾斜して配置され、透過板３４は、透過面３４１の下端が上端よりも光軸方向においてファインダ光学系３２に近づくように透過面３４１の左右方向を軸にして所定角度傾斜して配置されている。このように、透過板３４は、その透過面３４１がファインダ光学系３２の光軸に対して垂直とならないように第２偏光板３１４の傾斜方向とは反対方向に傾斜して配置されている。
【００２６】
なお、本実施の形態では、透過板３４は、その透過面３４１がファインダ光学系３２の光軸に対して垂直とならないで、かつ、その透過面３４１が第２偏光板３１４の傾斜方向とは反対方向に傾斜するようにした。このようにすれば、透過面３４１がファインダ光学系３２の光軸に対して垂直とならないので、透過面３４１によって反射された光学画像信号がファインダ光学系３２を介して反射板３１６に入射するのを軽減することができる。また、透過面３４１が第２偏光板３１４の傾斜方向とは反対方向に傾斜するので、透過面３４１によって反射された光が第２偏光板３１４に入射し、この入射した光が第２偏光板３１４で反射されて、透過板３４に再度入射するといったことを軽減できる。
【００２７】
つまり、本実施の形態では、透過板３４を、その透過面３４１が第２偏光板３４１の傾斜方向と同じ方向ではなく、反対方向に傾斜するようにした。これによって、反射型液晶ディスプレイ３１からの光学画像信号が、透過板３４の透過面３４１で一部反射され、また、反射された光の一部が、第２偏光板３１４で反射されて、ゴーストや迷光の発生に繋がるといったことを軽減できるようにしている。
【００２８】
ここで上述した所定角度は、ファインダ光学系３２を近視側に移動させた状態で、透過板３４で反射された光が反射板３１６に入射しないような角度に設定される。ここで、図７を参照し、透過板３４の所定角度の調整手順の一例を説明する。
【００２９】
本実施の形態のように、透過板３４の下端がファインダ光学系３２に近づくように傾けた場合には、この透過板３４の下端と、レンズの光軸を対称として位置する液晶３１５面の上部（すなわち、反射板３１６の上部）との関係で発生するゴースト若しくは迷光に着目する必要がある。
【００３０】
液晶３１５は、点光源として光をあらゆる角度で放射する。図７（Ａ）に示すように、液晶３１５の上部から放射された光の上限と下限の光線Ｘ１Ｕ，Ｘ１Ｌを追跡する。この上限と下限の光線Ｘ１Ｕ，Ｘ１Ｌは、透過板３４で反射され、例えばＸ２で示すように液晶３１５面（映像範囲）に再投影される。この場合、その映像がゴースト若しくは迷光として、使用者に観察されることになる。
【００３１】
図７（Ｂ）は、液晶３１５のどの範囲の出力（映像出力）が、透過板３４で反射され、液晶３１５面に再投影されるかを検討する図である。まず、透過板３４の下端において透過板３４と直交する、つまり透過板３４に対する入射角が０度になる光線Ｘ３を描く。次に、この光線がファインダ光学系３２を透過して屈折した光線Ｘ３′を描く。そして、光線Ｘ３′が液晶３１５面のどの位置に到達するかを求める。このようにして求めた光線Ｘ３′の液晶面３１５上の到達位置は、液晶３１５面（映像範囲）の上端から０．５１ｍｍの位置になる。この０．５１ｍｍの位置から液晶３１５面の上端までの映像出力は、入射角０度以上で透過板３４に対して入射し、透過板３４で下方向に一部が反射され、この反射された光が液晶３１５面に再投影され、ゴースト若しくは迷光を生じる。
【００３２】
図７（Ｃ）は、この反射が生じないように透過面３４１の傾き角を調整した場合を説明するための図である。この図７（Ｃ）は、図７（Ｂ）の場合同様の方法で光線を描いたものであるが、図７（Ｃ）においては、光線Ｘ３′が、液晶３１５面（映像範囲）から外れた位置に到達するように、透過板３４の所定角度を調整している。すなわち、この構成により、透過板３４からの反射光は、液晶３１５面から外れた位置に投影される。これは、液晶３１５面から出力されたどの光（映像）も透過面３４１に対して下側から０度以上の入射角を持って入射し、この透過面３４１の反射光は、液晶３１５面より上に投影される。これにより、液晶面から出力されるどの映像も、透過板３４による反射で液晶面に戻ってくることがなくなり、ゴースト若しくは迷光の発生を軽減できる。
【００３３】
以上説明したような方法で、透過板３４の角度を調整することができる。
【００３４】
なお、ファインダユニット筐体３５は、内部に入射した光を吸収可能なように、無反射塗装が施されている。塗料としては、例えば、エポキシ系黒色塗料やアクリル系黒色塗料などを用いることができる。これによって、ファインダユニット筐体３５の内部での反射によるゴースト若しくは迷光の発生が軽減される。なお、これに限られず、ファインダユニット筐体３５の内部に、筐体３５内部に入射した光を拡散させる表面処理を施してもよい。
【００３５】
３．反射型液晶ディスプレイから出力された光の経路
このように構成された電子ビューファインダ３の光の経路を、図８を用いて説明する。図８は、電子ビューファインダ３内の光の経路を説明するための模式図である。
【００３６】
光源３１１から放射された光は、拡散板３１２によって拡散される。拡散板３１２で拡散された光は、第１偏光板３１３によって直線偏光だけが透過される。第１偏光板３１３によって透過された直線偏光は、第２偏光板３１４で反射される。第２偏光板３１４で反射された直線偏光は、電圧が与えられていない液晶３１５を透過する際、偏光軸が４５度ねじられる。この偏光軸が４５度ねじられた直線偏光は、反射板３１６によって反射される。反射板３１６で反射された直線偏光は、再度液晶３１５を通過する際、偏光軸が４５度ねじられる。結局、電圧が与えられていない液晶３１５を通過して、反射された直線偏光は、偏光軸が９０度ねじられることになる。すなわち、反射板３１６で反射された光は、第２偏光板３１４を透過できるような所定の偏光状態にねじられる。これによって、この所定の偏光状態にねじられた直線偏光（以下、内部偏光と称す）は、第２偏光板３１４を透過し、光学画像信号となって、反射型液晶ディスプレイ３１から出力される。一方、第２偏光板３１４で反射された直線偏光は、電圧が与えられた液晶３１５を通過する際、偏光軸がねじられない。したがって、電圧が与えられている液晶３１５を通過して反射された直線偏光は、第２偏光板３１４で反射される。
【００３７】
反射型液晶ディスプレイ３１から出力された光は、ファインダ光学系３２で屈折されて、透過板３４に入射する。その際、図９に一例として示すように、液晶３１５の上端から出力されて透過板３４に入射した光の一部は透過板３４を透過し、残りの一部は透過面３４１で反射される。この透過板３４の透過面３４１で反射された光は、第２偏光板３１４を通過する偏光軸を持つ内部偏光であるため、ファインダ光学系３２を通過した後、第２偏光板３１４を通過するが、本実施の形態では液晶３１５面から外れた位置に入射する。液晶３１５から外れた位置に入射した光は、反射防止マスク３１７によって吸収される。これに対し、図１０に一例として示すように、液晶３１５の下端から出力された光については、透過板３４の透過面３４１で反射されると、ファインダユニット筐体３５の内部に入射して、吸収される。
【００３８】
４．用語の対応付け
電子ビューファインダ３は、電子ビューファインダ装置の一例である。反射型液晶ディスプレイ３１は、反射型液晶ディスプレイの一例である。光源３１１は、光源の一例である。液晶３１５は、液晶板の一例である。反射板３１６は、反射板の一例である。ファインダ光学系３２は、ファインダ光学系の一例である。第２偏光板３１４は、偏光板の一例である。透過板３４は、透過板の一例である。
【００３９】
透過板３４が傾けられる所定角度とは、液晶面から出力された光（映像）の全てにおいて入射角０度の位置よりも下側から入射することとなる角度である。換言すれば、液晶面から出力されるどの映像も、透過板３４による反射で液晶面に戻ってくることがない角度である。
【００４０】
５．まとめ
本実施の形態の電子ビューファインダ３は、光学画像信号を出力する反射型液晶ディスプレイ３１と、反射型液晶ディスプレイ３１から出力された光学画像信号を集光するファインダ光学系３２と、ファインダ光学系３２によって集光された光学画像信号の一部を透過し、残りの少なくとも一部を反射する透過板３４と、を備える。反射型液晶ディスプレイ３１は、ファインダ光学系３２の光軸の側方から該光軸に対して交差する方向に光を放射する光源３１１と、ファインダ光学系３２の光軸上に該光軸に対して表面が垂直となるように配置された液晶３１５と、液晶３１５の裏面側にファインダ光学系３２の光軸上に該光軸に対して反射面が垂直となるように配置された反射板３１６と、第２偏光板３１４と、を備える。第２偏光板３１４は、ファインダ光学系３１６の光軸上に該光軸に対して垂直とならないように傾斜して配置され、光源３１１から放射された光を反射板３１６側に反射すると共に、液晶３１５を通過して反射板３１６で光軸方向に反射された光学画像信号をファインダ光学系３２側へ透過させる。透過板３４は、透過面３４１がファインダ光学系３２の光軸に対して垂直とならないように第２偏光板３１４の傾斜方向とは反対方向に所定角度傾斜して配置されている。
【００４１】
これにより、電子ビューファインダ３において、透過面３４１によって反射された光学画像信号がファインダ光学系３２を介して反射板３１６に入射しないようにできる。すなわち、反射型液晶ディスプレイ３１が設けられた電子ビューファインダ３において、ゴースト若しくは迷光の発生を軽減できる。
【００４２】
また、透過板３４は、第２偏光板３１４の傾斜方向とは反対方向に傾斜して配置されている。換言すれば、第２偏光板３１４は、透過板３４の傾斜方向とは反対方向に傾斜して配置されている。したがって、透過面３４１によって反射された光学画像信号がファインダ光学系３２を介して第２偏光板３１４に入射した場合でも、入射した光線がファインダ光学系３２を介して透過板３４方向に戻るのが軽減される。これにより、反射型液晶ディスプレイ３１が設けられた電子ビューファインダ３において、ゴースト若しくは迷光の発生をより一層軽減できる。
【００４３】
また、透過板３４を、透過面３４１の下端が上端よりも光軸方向においてファインダ光学系３２に近づくように傾斜して配置した。これにより、使用者側から見た場合、透過面３４１が下向きとなる。このため、上方から入射する太陽光などの外光が透過板３４で反射されて使用者の目に入射するのを軽減できる。すなわち、使用者が一般的な構え方で撮影を行なった場合（ファインダ光学系３２の光軸がほぼ水平な状態で撮影した場合）、カメラシステム１の外部上方から太陽光が透過板３４に入射すると、透過板３４に入射した光の一部が反射される。しかし、前述のように透過板３４を傾斜させることにより、上方から入射した反射した光は斜め下方へ光軸から離れる方向に向かうこととなる。これによって、使用者が撮影を行う際に、反射型液晶ディスプレイ３１の表示が見難くなることを軽減できる。
【００４４】
また、本実施の形態の電子ビューファインダ３においては、光源３１１は、ファインダ光学系３２の光軸の下方に配置されている。仮に光軸の上方に配置すると、光源３１１がファインダ光学系３２の上方に突出してしまうが、本実施の形態では、光源３１１は光軸の下方に配置されているので、上方に突出しない。したがって、カメラ本体２の高さが高くなるのを抑制し、カメラ本体２を小型化することができる。
【００４５】
また、光源３１１がファインダ光学系３２の光軸の下方に配置されている場合において、仮に透過板３４が、透過面３４１の下端がファインダ光学系３２から離れるように傾斜して配置されていると、使用者が透過板３４の上部側から光軸に対して斜め下方を見やすくなる。つまり、使用者から光源３１１部分が見えやすくなる。しかし、本実施の形態では、透過板３４は、透過面３４１の下端がファインダ光学系３２に近づくように傾斜して配置されているから、ユーザから光源３１１部分が見えにくくなる。
【００４６】
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００４７】
実施の形態１では、交換レンズタイプのカメラシステムに適用した場合の例を説明した。しかし、これに限られず、コンパクトタイプのデジタルカメラに備えられる電子ビューファインダに適用してもかまわない。
【００４８】
また、実施の形態１では、撮像素子の一例としてＣＭＯＳイメージセンサを用いた。しかし、これに限られず、撮像素子には、ＣＣＤイメージセンサーを用いることもできる。
【００４９】
また、実施の形態１では、図６のように、透過板３４を透過面３４１の左右方向を軸にして傾けた。しかし、これに限られず、透過板を透過面の上下方向を軸にして傾けてもかまわない。
【００５０】
また、本実施の形態では、透過板３４は、透過面３４１がファインダ光学系３２の光軸に対して垂直にならないように設けられ、透過面３４１によって反射された光学画像信号がファインダ光学系３２を介して反射板に入射されないようにした。しかし、これに限られず、透過板３４は、透過面３４１がファインダ光学系３２の光軸に対して垂直にならないように設けられ、透過面３４１によって反射された光学画像信号がファインダ光学系３２を介して反射板に入射されるのを軽減するようにしてもよい。これによっても、ゴースト若しくは迷光の発生を軽減することができる。
【００５１】
図１１は、電子ビューファインダ３を上部から見た場合の各構成要素の配置例を示す図である。図１１（Ａ）に示すように、実施形態１では、図１１（Ａ）に示すように、反射型液晶ディスプレイ３１、ファインダ光学系３２及び透過板３４を、一直線上に設けた。しかし、これに限られず、図１１（Ｂ）のように、ファインダ光学系３２ａと透過板３４ａとの間に、ミラー４０ａを設け、Ｌ字状に配置してもよい。または、図１１（Ｃ）のように、反射型液晶ディスプレイ３１ｂとファインダ光学系３２ｂとの間にミラー４０ｂを設けてもかまわない。
【００５２】
また、本発明の反射型液晶ディスプレイは、実施の形態１の反射型液晶ディスプレイ３１に限られず、どのような構成であってもかまわない。
【産業上の利用可能性】
【００５３】
本発明は、反射型液晶ディスプレイを備える電子ビューファインダに適用可能である。例えば、デジタルカメラ等の撮像装置に設けられる電子ビューファインダに適用可能である。
【符号の説明】
【００５４】
１  カメラシステム
２  カメラ本体
３  電子ビューファインダ
４  ＣＭＯＳイメージセンサ
５  画像処理部
６  コントローラ
７  カードスロット
８  電源ボックス
９  交換レンズ
３１  反射型液晶ディスプレイ
３１１  光源
３１２  拡散板
３１３  第１偏光板
３１４  第２偏光板
３１５  液晶
３１６  反射板
３１７  反射防止マスク
３１８  液晶ドライバ
３２  ファインダ光学系
３３  視度調整機構
３４  透過板
３４１  透過面
３５  ファインダユニット筐体
３６  フレキシブル配線基板
３７  裏ケース
【図１】
2010007747.tif 000003
【図２】
2010007747.tif 000004
【図３】
2010007747.tif 000005
【図４】
2010007747.tif 000006
【図５】
2010007747.tif 000007
【図６】
2010007747.tif 000008
【図７】
2010007747.tif 000009
【図８】
2010007747.tif 000010
【図９】
2010007747.tif 000011
【図１０】
2010007747.tif 000012
【図１１】
2010007747.tif 000013
【図１２】
2010007747.tif 000014
【図１３】
2010007747.tif 000015
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
撮像装置に設けられる電子ビューファインダ装置であって、
光学画像信号を出力する反射型液晶ディスプレイと、
前記反射型液晶ディスプレイから出力された光学画像信号を集光するファインダ光学系と、
前記ファインダ光学系によって集光された光学画像信号の一部を透過し、残りの少なくとも一部を反射する透過板と、
を備え、
前記反射型液晶ディスプレイは、
光を放射する光源と、
前記ファインダ光学系の光軸上に該光軸に対して表面が垂直となるように配置された液晶板と、
前記液晶板の裏面側に前記ファインダ光学系の光軸上に該光軸に対して反射面が垂直となるように配置され、前記液晶板を介して光源から入射した光を反射する反射板と、
前記ファインダ光学系の光軸に対して垂直とならないように傾斜して配置され、前記光源から放射された光を前記反射板側に反射すると共に、前記液晶板を通過して反射板で反射された光を光学画像信号としてファインダ光学系側へ透過させる偏光板と、
を備え、
前記透過板は、
透過面が前記ファインダ光学系の光軸に対して垂直とならないように前記偏光板の傾斜方向とは反対方向に傾斜して配置される、
電子ビューファインダ装置。
【請求項２】
請求項１に記載の電子ビューファインダ装置であって、
撮像装置に備えられる場合に、
前記偏光板および透過板は、傾斜させたことにより光軸方向で前記ファインダ光学系に近づく側が、離れる側に対して前記撮像装置の上下方向で下方に位置するように配置される、
電子ビューファインダ装置。
【請求項３】
請求項１に記載の電子ビューファインダ装置を備えた撮像装置。
【請求項４】
請求項３に記載の撮像装置であって、
前記偏光板および透過板は、傾斜させたことにより光軸方向で前記ファインダ光学系に近づく側が、離れる側に対して前記撮像装置の上下方向で下方に位置するように配置される、
撮像装置。
【請求項５】
撮像装置に設けられる電子ビューファインダ装置であって、
光学画像信号を出力する反射型液晶ディスプレイと、
前記反射型液晶ディスプレイから出力された光学画像信号を集光するファインダ光学系と、
前記ファインダ光学系によって集光された光学画像信号の一部を透過し、残りの少なくとも一部を反射し、透過面を有する透過部と、
を備え、
前記反射型液晶ディスプレイは、
光を放射する光源と、
前記ファインダ光学系の光軸上に該光軸に対して表面が垂直となるように配置され、裏面を有する液晶ユニットと、
前記液晶ユニットの裏面側に前記ファインダ光学系の光軸上に該光軸に対して反射面が垂直となるように配置され、前記液晶ユニットを介して光源から入射した光を反射する反射部と、
前記ファインダ光学系の光軸に対して垂直とならないように傾斜して配置され、前記光源から放射された光を前記反射部側に反射すると共に、前記液晶ユニットを通過して反射部で反射された光を光学画像信号としてファインダ光学系側へ透過させる偏光部と、
を備え、
前記透過部は、
前記透過面が前記ファインダ光学系の光軸に対して垂直とならないように前記偏光部の傾斜方向とは反対方向に傾斜して配置される、
電子ビューファインダ装置。
【手続補正２】
【補正対象書類名】明細書
【補正対象項目名】全文
【補正方法】変更
【補正の内容】
【発明の詳細な説明】
【技術分野】
【０００１】
本発明は、反射型液晶ディスプレイを備える電子ビューファインダ装置、及び撮像装置に関する。
【背景技術】
【０００２】
特許文献１に、電子ビューファインダ装置として反射型液晶を利用したものが開示されている。この電子ビューファンダーは、反射型の表示手段と、表示手段を照明する照明手段と、照明手段からの光束を反射して表示手段へ導き、かつ表示手段からの反射光を通過する光路分割手段と、光路分割手段を通過した表示手段からの光束を観察者の瞳に導く接眼光学系とを有している。
【先行技術文献】
【特許文献】
【０００３】
【特許文献１】特開２００３−２０４４５５号公報
【発明の概要】
【発明が解決しようとする課題】
【０００４】
ところで、反射型液晶ディスプレイを備える電子ビューファインダにおいては一般的に、接眼部分にカバー部材（透過板）を設ける。カバー部材は、ファインダ光学系の光軸に対して垂直になるように設けられている。
【０００５】
しかし、このような構造の場合、反射型液晶ディスプレイから出力されて透過板に入射した光が、透過板の透過面で反射され、反射型液晶ディスプレイに入射する可能性がある。これでは、この入射した光がさらに反射型液晶ディスプレイで反射され、そのため、使用者が反射型液晶ディスプレイから出力された光学画像信号を見る際、ゴースト若しくは迷光が現われる場合がある。
【０００６】
この問題が発生する原理を、図１２、１３を用いて簡単に説明する。図１２は、上記電子ビューファンダーの光の経路を示す模式図である。電子ビューファインダ３は、反射型液晶ディスプレイ３１と、ファインダ光学系３２と、透過板３４とを備える。反射型液晶ディスプレイ３１は、光源３１１と、拡散板３１２と、第１偏光板３１３と、第２偏光板３１４と、液晶３１５と、反射板３１６とを備える。第２偏光板３１４は、第１偏光板３１３と光の偏光軸が直交するように配置されている。液晶３１５は、電圧が与えられない状態でねじれて配列するように形成されている。
【０００７】
次に、光源３１１から放射された光の経路を説明する。光源３１１から放射された自然光は、拡散板３１２によって拡散される。拡散板３１２で拡散された自然光は、第１偏光板３１３によって直線偏光だけが透過される。第１偏光板３１３によって透過された直線偏光は、第２偏光板３１４で反射される。第２偏光板３１４で反射された直線偏光は、電圧が与えられていない液晶３１５を通過する際、偏光軸が４５度ねじられる（旋回される）。この偏光軸が４５度ねじられた直線偏光は、反射板３１６によって反射される。反射板３１６で反射された直線偏光は、再度液晶３１５を通過する際、偏光軸が４５度ねじられる。結局、電圧が与えられていない液晶３１５を通過して、反射された直線偏光は、偏光軸が９０度ねじられることになる。これによって、偏光軸が９０度ねじられた直線偏光は、（以下、内部偏光と称す）は、第２偏光板３１４を透過し、光学画像信号となって、反射型液晶ディスプレイ３１から出力される。一方、第２偏光板３１４で反射された直線偏光は、電圧が与えられた液晶３１５を通過する際、偏光軸がねじられない。したがって、電圧が与えられている液晶３１５を通過して、反射された直線偏光は、第２偏光板３１４で反射される。
【０００８】
図１３は、液晶３１５の上端から出力された光の経路の一例を示す。反射型液晶ディスプレイ３１から出力された光は、ファインダ光学系３２で屈折されて、透過板３４に入射する。透過板３４では、入射された光の一部が透過し、残りの一部が透過面３４１で反射される。この透過板３４の透過面３４１で反射された光は、ファインダ光学系３２を介して、反射型液晶ディスプレイ３１に入射する。この反射型液晶ディスプレイ３１に入射する光は、第２偏光板３１４を通過する偏光軸を持つ内部偏光であるため、第２偏光板３１４を通過し、液晶３１５面に入射する。この液晶３１５面に入射した光は、液晶３１５に電圧が与えられている場合、そのままの偏光軸で透過し、反射板３１６で反射される。このため、反射板３１６で反射された光は、再度、第２偏光板３１４を透過する。このため、第２偏光板３１４を通過した光は、ファインダ光学系３２を介して、透過板３４に入射する。これによって透過板３４に入射した光が、透過され使用者の目に映ると、ゴースト若しくはフレアとなって現れてしまう。
【０００９】
また、透過板３４の透過面３４１で反射され、ファインダ光学系３２を通過した光は、第２偏光板３１４におけるファインダ光学系３２側の面で一部が反射され、仮想線で示すように、再度、ファインダ光学系３２を介して、透過板３４に入射する場合がある。これによって透過板３４に入射した光が、透過され使用者の目に映ると、同様に、ゴースト若しくはフレアとなって現れてしまう。
【００１０】
本発明は、上記課題を解決するためになされたものであり、反射型液晶ディスプレイが設けられた電子ビューファインダにおいて、透過板の透過面での反射に伴って生じるゴースト若しくは迷光の発生を軽減できる電子ビューファインダを提供することを目的とする。
【課題を解決するための手段】
【００１１】
本発明に係る電子ビューファインダ装置は、光学画像信号を出力する反射型液晶ディスプレイと、反射型液晶ディスプレイから出力された光学画像信号を集光するファインダ光学系と、ファインダ光学系によって集光された光学画像信号の一部を透過し、残りの少なくとも一部を反射する透過板とを備える。反射型液晶ディスプレイは、光を放射する光源と、ファインダ光学系の光軸上に該光軸に対して表面が垂直となるように配置された液晶板と、液晶板の裏面側に前記ファインダ光学系の光軸上に該光軸に対して反射面が垂直となるように配置され、液晶板を介して光源から入射した光を反射する反射板と、ファインダ光学系の光軸に対して垂直とならないように傾斜して配置され、光源から放射された光を反射板側に反射すると共に、液晶板を通過して反射板で反射された光を光学画像信号としてファインダ光学系側へ透過させる偏光板とを備え、前記透過板は、透過面が前記ファインダ光学系の光軸に対して垂直とならないように前記偏光板の傾斜方向とは反対方向に傾斜して配置される。
【００１２】
また、本発明は、電子ビューファインダ装置を備えた撮像装置である。この撮像装置の電子ビューファインダ装置は、光学画像信号を出力する反射型液晶ディスプレイと、反射型液晶ディスプレイから出力された光学画像信号を集光するファインダ光学系と、ファインダ光学系によって集光された光学画像信号の一部を透過し、残りの少なくとも一部を反射する透過板とを備える。反射型液晶ディスプレイは、光を放射する光源と、ファインダ光学系の光軸上に該光軸に対して表面が垂直となるように配置された液晶板と、液晶板の裏面側に前記ファインダ光学系の光軸上に該光軸に対して反射面が垂直となるように配置され、液晶板を介して光源から入射した光を反射する反射板と、ファインダ光学系の光軸に対して垂直とならないように傾斜して配置され、光源から放射された光を反射板側に反射すると共に、液晶板を通過して反射板で反射された光を光学画像信号としてファインダ光学系側へ透過させる偏光板とを備え、前記透過板は、透過面が前記ファインダ光学系の光軸に対して垂直とならないように前記偏光板の傾斜方向とは反対方向に傾斜して配置される。
【発明の効果】
【００１３】
本発明によれば、透過板の透過面がファインダ光学系の光軸に対して垂直とならないように傾斜して配置されている。これにより、当該透過面によって反射された光学画像信号が当該ファインダ光学系を介して前記反射板に入射するのを軽減することができる。よって、反射型液晶ディスプレイが設けられた電子ビューファインダ装置において、ゴースト若しくは迷光の発生を軽減できる。
【００１４】
また、透過板は、偏光板の傾斜方向とは反対方向に傾斜して配置されている。換言すれば、偏光板は、透過板の傾斜方向とは反対方向に傾斜して配置されている。したがって、透過面によって反射された光学画像信号がファインダ光学系を介して偏光板に入射した場合でも、入射した光線がファインダ光学系を介して透過板方向に戻るのが軽減される。これにより、反射型液晶ディスプレイが設けられた電子ビューファインダ装置において、ゴースト若しくは迷光の発生をより一層軽減できる。
【図面の簡単な説明】
【００１５】
【図１】本発明の実施の形態に係るカメラシステムの構成例の概要を示すブロック図
【図２】本発明の実施の形態に係る外装ケースの上部材を取り外したカメラ本体の斜視図
【図３】本発明の実施の形態に係るカメラ本体の斜視図
【図４】本発明の実施の形態に係る電子ビューファインダの斜視図
【図５】本発明の実施の形態に係る電子ビューファインダの分解斜視図
【図６】図４の電子ビューファインダのＡ−Ａ断面を説明するための模式図
【図７】本発明の実施の形態に係る透過板の角度の調整を説明するための図
【図８】本発明の実施の形態に係る電子ビューファインダ内の光の経路を説明するための模式図
【図９】本発明の実施の形態に係る電子ビューファインダ内の光の経路を説明するための模式図
【図１０】本発明の実施の形態に係る電子ビューファインダ内の光の経路を説明するための模式図
【図１１】本発明の実施の形態と他の実施の形態の各構成要素の配置例を説明するための図
【図１２】本発明の課題を説明するための図
【図１３】本発明の課題を説明するための図
【発明を実施するための形態】
【００１６】
以下、本発明の一実施の形態を、図面を参照して説明する。本発明をカメラシステムに適用した例を説明する。
【００１７】
（実施の形態１）
１．カメラシステムの概要
カメラシステム１は、図１のように、カメラ本体２と、カメラ本体２に着脱可能な交換レンズ９と、を備える。カメラ本体２は、電子ビューファインダ３と、ＣＭＯＳイメージセンサ４と、画像処理部５と、コントローラ６と、カードスロット７と、電源ボックス８と、を備える。これによって、カメラ本体２は、ＣＭＯＳイメージセンサ４で撮像され、生成された画像データを、電子ビューファインダ３に表示できる。また、カメラ本体２は、カードスロット７に挿入されるメモリカードＸに記憶された画像データを、電子ビューファインダ３に表示することもできる。
【００１８】
具体的には、ＣＭＯＳイメージセンサ４は、交換レンズ９で集光された光学的信号を画像データに変換する。そして画像処理部５は、ＣＭＯＳイメージセンサ４で変換された画像データに所定の画像処理を施す。所定の画像処理としては、ＹＣ変換、電子ズーム処理、圧縮処理等が考えられるが、これに限られるものではない。画像処理部５は、画像処理を施した画像データを、電子ビューファインダ３に出力する。これによって、ＣＭＯＳイメージセンサ４で撮像され、生成された画像データを、電子ビューファインダ３に表示できる。また、コントローラ６は、カードスロット７に挿入されたメモリカードＸに記憶された画像データを読み出し、電子ビューファインダ３に出力する。これによって、メモリカードＸに記憶された画像データを、電子ビューファインダ３に表示できる。
【００１９】
２．電子ビューファインダの構成
図２はカメラ本体の斜視図、図３はカメラ本体の外装ケースの上部材を取り外した状態を示す斜視図、図４は電子ビューファインダの斜視図である。電子ビューファインダ３は、カメラ本体２の外装ケースにおける上部材が外された状態で、カメラ本体２の外装ケースの下部材に設けられたシャーシに、ネジで螺着される。電子ビューファインダ３は、画像処理部５やコントローラ６が設けられる基板と、フレキシブル配線基板３６によって接続される。このフレキシブル配線基板３６は、画像データ用の信号線と、電源用の信号線を有する。これによって、電子ビューファインダ３は、画像処理部５やコントローラ６から出力される画像データを受け付けることが可能である。また、電子ビューファインダ３は、電源ボックス８に設けられる電池から電力供給を受ける。
【００２０】
電子ビューファインダ３は、図４、図５に示すように、反射型液晶ディスプレイ３１と、ファインダ光学系３２と、視度調整機構３３と、透過板３４と、ファインダユニット筐体３５と、フレキシブル配線基板３６と、裏ケース３７と、を備える。
【００２１】
反射型液晶ディスプレイ３１は、画像処理部５やコントローラ６から受け付けた画像データを光学画像信号として出力できる。反射型液晶ディスプレイ３１は、図６に示すように、光源３１１と、拡散板３１２と、第１偏光板３１３と、第２偏光板３１４と、液晶３１５と、反射板３１６と、反射防止マスク３１７と、液晶ドライバ３１８と、を備える。第２偏光板３１４、液晶３１５、反射板３１６、反射防止マスク３１７、液晶ドライバ３１８、及び透過板３４は、ファインダ光学系３２の光軸上に配置されている。反射型液晶ディスプレイ３１が画像データを光学画像信号として出力する際の動作は、課題の部分で説明した通りである。
【００２２】
なお、反射型液晶ディスプレイ３１の各部は、下記のように実現できる。光源３１１は、３色のＬＥＤ光源で実現できる。光源３１１は、ファインダ光学系３２の光軸の側方に配置されている。拡散板３１２は、拡散シートで実現できる。第１偏光板３１３や第２偏光板３１４は、ＰＢＳ（偏光ビームスプリッタ）で実現できる。反射板３１６は、シリコンウェハで実現できる。反射防止マスク３１７は、反射を防止できる部材である。この反射防止マスク３１７は、光を吸収できるように、無反射塗装を施している。塗料としては、例えば、エポキシ系黒色塗料やアクリル系黒色塗料などを用いることができる。液晶ドライバ３１８は、フレキシブル配線基板３６と接続されるコネクタを背面に有し、反射型液晶ディスプレイ３１を駆動する基板である。裏ケース３７は、フレキシブル配線基板３６がコネクタに接続された状態で、ファインダユニット筐体３５に係合可能に構成されている。
【００２３】
ファインダ光学系３２は、３枚のレンズを含んでいる。ファインダ光学系３２は、反射型液晶ディスプレイ３１から出力された光学画像信号を集光する。図６は、図４の電子ビューファインダ３のＡ−Ａ断面を説明するための模式図である。図６は、電子ビューファインダ３をカメラシステム１に取り付けた場合の向きで記載しており、図６の上下方向及び上側がカメラシステム１の上下方向及び上側に対応する。ファインダ光学系３２は、ファインダユニット筐体３５に、近視側位置と遠視側位置との間で光軸方向に沿って移動自在に支持されている。ファインダ光学系３２は、視度調整機構３３により移動される。視度調整機構３３は、メカニカルな部材（ツマミ３３１とギア３３２）で実現されている。使用者は、ツマミ３３１を操作することで、反射型液晶ディスプレイ３１からの光学画像信号が見えやすくなるように、ファインダ光学系３２の位置を移動させることができる。
【００２４】
透過板３４は、ガラス又はプラスチックなどで構成され、ファインダユニット筐体３５に取り付けられる。透過板３４は、平面平行板で構成されている。つまり、透過板３４は、平行な２つの平面を有している。１つの平面が透過面３４１である。なお、本実施の形態では、透過板３４を、平行な２つの平面を有するように構成した。このように構成したので、透過板を透過した光は、収差を生じにくくなる。
【００２５】
また、透過板３４は、ファインダ光学系３２によって集光された光学画像信号の一部を透過する。光学画像信号の残りの一部は透過面３４１で反射される。透過板３４は、透過面で反射された光学画像信号がファインダ光学系３２を介して反射型液晶ディスプレイ３１の反射板３１６に入射しないように、透過面３４１がファインダ光学系３２の光軸に対して垂直にならないように傾斜して設けられている。具体的には、本実施形態においては、第２偏光板３１４は、その下端がその上端よりも光軸方向において前記ファインダ光学系３２に近くなるように傾斜して配置され、透過板３４は、透過面３４１の下端が上端よりも光軸方向においてファインダ光学系３２に近づくように透過面３４１の左右方向を軸にして所定角度傾斜して配置されている。このように、透過板３４は、その透過面３４１がファインダ光学系３２の光軸に対して垂直とならないように第２偏光板３１４の傾斜方向とは反対方向に傾斜して配置されている。
【００２６】
なお、本実施の形態では、透過板３４は、その透過面３４１がファインダ光学系３２の光軸に対して垂直とならないで、かつ、その透過面３４１が第２偏光板３１４の傾斜方向とは反対方向に傾斜するようにした。このようにすれば、透過面３４１がファインダ光学系３２の光軸に対して垂直とならないので、透過面３４１によって反射された光学画像信号がファインダ光学系３２を介して反射板３１６に入射するのを軽減することができる。また、透過面３４１が第２偏光板３１４の傾斜方向とは反対方向に傾斜するので、透過面３４１によって反射された光が第２偏光板３１４に入射し、この入射した光が第２偏光板３１４で反射されて、透過板３４に再度入射するといったことを軽減できる。
【００２７】
つまり、本実施の形態では、透過板３４を、その透過面３４１が第２偏光板３４１の傾斜方向と同じ方向ではなく、反対方向に傾斜するようにした。これによって、反射型液晶ディスプレイ３１からの光学画像信号が、透過板３４の透過面３４１で一部反射され、また、反射された光の一部が、第２偏光板３１４で反射されて、ゴーストや迷光の発生に繋がるといったことを軽減できるようにしている。
【００２８】
ここで上述した所定角度は、ファインダ光学系３２を近視側に移動させた状態で、透過板３４で反射された光が反射板３１６に入射しないような角度に設定される。ここで、図７を参照し、透過板３４の所定角度の調整手順の一例を説明する。
【００２９】
本実施の形態のように、透過板３４の下端がファインダ光学系３２に近づくように傾けた場合には、この透過板３４の下端と、レンズの光軸を対称として位置する液晶３１５面の上部（すなわち、反射板３１６の上部）との関係で発生するゴースト若しくは迷光に着目する必要がある。
【００３０】
液晶３１５は、点光源として光をあらゆる角度で放射する。図７（Ａ）に示すように、液晶３１５の上部から放射された光の上限と下限の光線Ｘ１Ｕ，Ｘ１Ｌを追跡する。この上限と下限の光線Ｘ１Ｕ，Ｘ１Ｌは、透過板３４で反射され、例えばＸ２で示すように液晶３１５面（映像範囲）に再投影される。この場合、その映像がゴースト若しくは迷光として、使用者に観察されることになる。
【００３１】
図７（Ｂ）は、液晶３１５のどの範囲の出力（映像出力）が、透過板３４で反射され、液晶３１５面に再投影されるかを検討する図である。まず、透過板３４の下端において透過板３４と直交する、つまり透過板３４に対する入射角が０度になる光線Ｘ３を描く。次に、この光線がファインダ光学系３２を透過して屈折した光線Ｘ３′を描く。そして、光線Ｘ３′が液晶３１５面のどの位置に到達するかを求める。このようにして求めた光線Ｘ３′の液晶面３１５上の到達位置は、液晶３１５面（映像範囲）の上端から０．５１ｍｍの位置になる。この０．５１ｍｍの位置から液晶３１５面の上端までの映像出力は、入射角０度以上で透過板３４に対して入射し、透過板３４で下方向に一部が反射され、この反射された光が液晶３１５面に再投影され、ゴースト若しくは迷光を生じる。
【００３２】
図７（Ｃ）は、この反射が生じないように透過面３４１の傾き角を調整した場合を説明するための図である。この図７（Ｃ）は、図７（Ｂ）の場合同様の方法で光線を描いたものであるが、図７（Ｃ）においては、光線Ｘ３′が、液晶３１５面（映像範囲）から外れた位置に到達するように、透過板３４の所定角度を調整している。すなわち、この構成により、透過板３４からの反射光は、液晶３１５面から外れた位置に投影される。これは、液晶３１５面から出力されたどの光（映像）も透過面３４１に対して下側から０度以上の入射角を持って入射し、この透過面３４１の反射光は、液晶３１５面より上に投影される。これにより、液晶面から出力されるどの映像も、透過板３４による反射で液晶面に戻ってくることがなくなり、ゴースト若しくは迷光の発生を軽減できる。
【００３３】
以上説明したような方法で、透過板３４の角度を調整することができる。
【００３４】
なお、ファインダユニット筐体３５は、内部に入射した光を吸収可能なように、無反射塗装が施されている。塗料としては、例えば、エポキシ系黒色塗料やアクリル系黒色塗料などを用いることができる。これによって、ファインダユニット筐体３５の内部での反射によるゴースト若しくは迷光の発生が軽減される。なお、これに限られず、ファインダユニット筐体３５の内部に、筐体３５内部に入射した光を拡散させる表面処理を施してもよい。
【００３５】
３．反射型液晶ディスプレイから出力された光の経路
このように構成された電子ビューファインダ３の光の経路を、図８を用いて説明する。図８は、電子ビューファインダ３内の光の経路を説明するための模式図である。
【００３６】
光源３１１から放射された光は、拡散板３１２によって拡散される。拡散板３１２で拡散された光は、第１偏光板３１３によって直線偏光だけが透過される。第１偏光板３１３によって透過された直線偏光は、第２偏光板３１４で反射される。第２偏光板３１４で反射された直線偏光は、電圧が与えられていない液晶３１５を透過する際、偏光軸が４５度ねじられる。この偏光軸が４５度ねじられた直線偏光は、反射板３１６によって反射される。反射板３１６で反射された直線偏光は、再度液晶３１５を通過する際、偏光軸が４５度ねじられる。結局、電圧が与えられていない液晶３１５を通過して、反射された直線偏光は、偏光軸が９０度ねじられることになる。すなわち、反射板３１６で反射された光は、第２偏光板３１４を透過できるような所定の偏光状態にねじられる。これによって、この所定の偏光状態にねじられた直線偏光（以下、内部偏光と称す）は、第２偏光板３１４を透過し、光学画像信号となって、反射型液晶ディスプレイ３１から出力される。一方、第２偏光板３１４で反射された直線偏光は、電圧が与えられた液晶３１５を通過する際、偏光軸がねじられない。したがって、電圧が与えられている液晶３１５を通過して反射された直線偏光は、第２偏光板３１４で反射される。
【００３７】
反射型液晶ディスプレイ３１から出力された光は、ファインダ光学系３２で屈折されて、透過板３４に入射する。その際、図９に一例として示すように、液晶３１５の上端から出力されて透過板３４に入射した光の一部は透過板３４を透過し、残りの一部は透過面３４１で反射される。この透過板３４の透過面３４１で反射された光は、第２偏光板３１４を通過する偏光軸を持つ内部偏光であるため、ファインダ光学系３２を通過した後、第２偏光板３１４を通過するが、本実施の形態では液晶３１５面から外れた位置に入射する。液晶３１５から外れた位置に入射した光は、反射防止マスク３１７によって吸収される。これに対し、図１０に一例として示すように、液晶３１５の下端から出力された光については、透過板３４の透過面３４１で反射されると、ファインダユニット筐体３５の内部に入射して、吸収される。
【００３８】
４．用語の対応付け
電子ビューファインダ３は、電子ビューファインダ装置の一例である。反射型液晶ディスプレイ３１は、反射型液晶ディスプレイの一例である。光源３１１は、光源の一例である。液晶３１５は、液晶板の一例である。反射板３１６は、反射板の一例である。ファインダ光学系３２は、ファインダ光学系の一例である。第２偏光板３１４は、偏光板の一例である。透過板３４は、透過板の一例である。
【００３９】
透過板３４が傾けられる所定角度とは、液晶面から出力された光（映像）の全てにおいて入射角０度の位置よりも下側から入射することとなる角度である。換言すれば、液晶面から出力されるどの映像も、透過板３４による反射で液晶面に戻ってくることがない角度である。
【００４０】
５．まとめ
本実施の形態の電子ビューファインダ３は、光学画像信号を出力する反射型液晶ディスプレイ３１と、反射型液晶ディスプレイ３１から出力された光学画像信号を集光するファインダ光学系３２と、ファインダ光学系３２によって集光された光学画像信号の一部を透過し、残りの少なくとも一部を反射する透過板３４と、を備える。反射型液晶ディスプレイ３１は、ファインダ光学系３２の光軸の側方から該光軸に対して交差する方向に光を放射する光源３１１と、ファインダ光学系３２の光軸上に該光軸に対して表面が垂直となるように配置された液晶３１５と、液晶３１５の裏面側にファインダ光学系３２の光軸上に該光軸に対して反射面が垂直となるように配置された反射板３１６と、第２偏光板３１４と、を備える。第２偏光板３１４は、ファインダ光学系３１６の光軸上に該光軸に対して垂直とならないように傾斜して配置され、光源３１１から放射された光を反射板３１６側に反射すると共に、液晶３１５を通過して反射板３１６で光軸方向に反射された光学画像信号をファインダ光学系３２側へ透過させる。透過板３４は、透過面３４１がファインダ光学系３２の光軸に対して垂直とならないように第２偏光板３１４の傾斜方向とは反対方向に所定角度傾斜して配置されている。
【００４１】
これにより、電子ビューファインダ３において、透過面３４１によって反射された光学画像信号がファインダ光学系３２を介して反射板３１６に入射しないようにできる。すなわち、反射型液晶ディスプレイ３１が設けられた電子ビューファインダ３において、ゴースト若しくは迷光の発生を軽減できる。
【００４２】
また、透過板３４は、第２偏光板３１４の傾斜方向とは反対方向に傾斜して配置されている。換言すれば、第２偏光板３１４は、透過板３４の傾斜方向とは反対方向に傾斜して配置されている。したがって、透過面３４１によって反射された光学画像信号がファインダ光学系３２を介して第２偏光板３１４に入射した場合でも、入射した光線がファインダ光学系３２を介して透過板３４方向に戻るのが軽減される。これにより、反射型液晶ディスプレイ３１が設けられた電子ビューファインダ３において、ゴースト若しくは迷光の発生をより一層軽減できる。
【００４３】
また、透過板３４を、透過面３４１の下端が上端よりも光軸方向においてファインダ光学系３２に近づくように傾斜して配置した。これにより、使用者側から見た場合、透過面３４１が下向きとなる。このため、上方から入射する太陽光などの外光が透過板３４で反射されて使用者の目に入射するのを軽減できる。すなわち、使用者が一般的な構え方で撮影を行なった場合（ファインダ光学系３２の光軸がほぼ水平な状態で撮影した場合）、カメラシステム１の外部上方から太陽光が透過板３４に入射すると、透過板３４に入射した光の一部が反射される。しかし、前述のように透過板３４を傾斜させることにより、上方から入射した反射した光は斜め下方へ光軸から離れる方向に向かうこととなる。これによって、使用者が撮影を行う際に、反射型液晶ディスプレイ３１の表示が見難くなることを軽減できる。
【００４４】
また、本実施の形態の電子ビューファインダ３においては、光源３１１は、ファインダ光学系３２の光軸の下方に配置されている。仮に光軸の上方に配置すると、光源３１１がファインダ光学系３２の上方に突出してしまうが、本実施の形態では、光源３１１は光軸の下方に配置されているので、上方に突出しない。したがって、カメラ本体２の高さが高くなるのを抑制し、カメラ本体２を小型化することができる。
【００４５】
また、光源３１１がファインダ光学系３２の光軸の下方に配置されている場合において、仮に透過板３４が、透過面３４１の下端がファインダ光学系３２から離れるように傾斜して配置されていると、使用者が透過板３４の上部側から光軸に対して斜め下方を見やすくなる。つまり、使用者から光源３１１部分が見えやすくなる。しかし、本実施の形態では、透過板３４は、透過面３４１の下端がファインダ光学系３２に近づくように傾斜して配置されているから、ユーザから光源３１１部分が見えにくくなる。
【００４６】
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００４７】
実施の形態１では、交換レンズタイプのカメラシステムに適用した場合の例を説明した。しかし、これに限られず、コンパクトタイプのデジタルカメラに備えられる電子ビューファインダに適用してもかまわない。
【００４８】
また、実施の形態１では、撮像素子の一例としてＣＭＯＳイメージセンサを用いた。しかし、これに限られず、撮像素子には、ＣＣＤイメージセンサーを用いることもできる。
【００４９】
また、実施の形態１では、図６のように、透過板３４を透過面３４１の左右方向を軸にして傾けた。しかし、これに限られず、透過板を透過面の上下方向を軸にして傾けてもかまわない。
【００５０】
また、本実施の形態では、透過板３４は、透過面３４１がファインダ光学系３２の光軸に対して垂直にならないように設けられ、透過面３４１によって反射された光学画像信号がファインダ光学系３２を介して反射板に入射されないようにした。しかし、これに限られず、透過板３４は、透過面３４１がファインダ光学系３２の光軸に対して垂直にならないように設けられ、透過面３４１によって反射された光学画像信号がファインダ光学系３２を介して反射板に入射されるのを軽減するようにしてもよい。これによっても、ゴースト若しくは迷光の発生を軽減することができる。
【００５１】
図１１は、電子ビューファインダ３を上部から見た場合の各構成要素の配置例を示す図である。図１１（Ａ）に示すように、実施形態１では、図１１（Ａ）に示すように、反射型液晶ディスプレイ３１、ファインダ光学系３２及び透過板３４を、一直線上に設けた。しかし、これに限られず、図１１（Ｂ）のように、ファインダ光学系３２ａと透過板３４ａとの間に、ミラー４０ａを設け、Ｌ字状に配置してもよい。または、図１１（Ｃ）のように、反射型液晶ディスプレイ３１ｂとファインダ光学系３２ｂとの間にミラー４０ｂを設けてもかまわない。
【００５２】
また、本発明の反射型液晶ディスプレイは、実施の形態１の反射型液晶ディスプレイ３１に限られず、どのような構成であってもかまわない。
【産業上の利用可能性】
【００５３】
本発明は、反射型液晶ディスプレイを備える電子ビューファインダに適用可能である。例えば、デジタルカメラ等の撮像装置に設けられる電子ビューファインダに適用可能である。
【符号の説明】
【００５４】
１  カメラシステム
２  カメラ本体
３  電子ビューファインダ
４  ＣＭＯＳイメージセンサ
５  画像処理部
６  コントローラ
７  カードスロット
８  電源ボックス
９  交換レンズ
３１  反射型液晶ディスプレイ
３１１  光源
３１２  拡散板
３１３  第１偏光板
３１４  第２偏光板
３１５  液晶
３１６  反射板
３１７  反射防止マスク
３１８  液晶ドライバ
３２  ファインダ光学系
３３  視度調整機構
３４  透過板
３４１  透過面
３５  ファインダユニット筐体
３６  フレキシブル配線基板
３７  裏ケース
【手続補正３】
【補正対象書類名】図面
【補正対象項目名】全図
【補正方法】変更
【補正の内容】
【図１】
2010007747.tif 000016
【図２】
2010007747.tif 000017
【図３】
2010007747.tif 000018
【図４】
2010007747.tif 000019
【図５】
2010007747.tif 000020
【図６】
2010007747.tif 000021
【図７】
2010007747.tif 000022
【図８】
2010007747.tif 000023
【図９】
2010007747.tif 000024
【図１０】
2010007747.tif 000025
【図１１】
2010007747.tif 000026
【図１２】
2010007747.tif 000027
【図１３】
2010007747.tif 000028
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
撮像装置に設けられる電子ビューファインダ装置であって、
光学画像信号を出力する反射型液晶ディスプレイと、
前記反射型液晶ディスプレイから出力された光学画像信号を集光するファインダ光学系と、
前記ファインダ光学系によって集光された光学画像信号の一部を透過し、残りの少なくとも一部を反射する透過板と、
を備え、
前記反射型液晶ディスプレイは、
光を放射する光源と、
前記ファインダ光学系の光軸上に該光軸に対して表面が垂直となるように配置された液晶板と、
前記液晶板の裏面側に前記ファインダ光学系の光軸上に該光軸に対して反射面が垂直となるように配置され、前記液晶板を介して光源から入射した光を反射する反射板と、
前記ファインダ光学系の光軸に対して垂直とならないように傾斜して配置され、前記光源から放射された光を前記反射板側に反射すると共に、前記液晶板を通過して反射板で反射された光を光学画像信号としてファインダ光学系側へ透過させる偏光板と、
を備え、
前記透過板は、
透過面が前記ファインダ光学系の光軸に対して垂直とならないように前記偏光板の傾斜方向とは反対方向に傾斜して配置される、
電子ビューファインダ装置。
【請求項２】
請求項１に記載の電子ビューファインダ装置であって、
撮像装置に備えられる場合に、
前記偏光板および透過板は、傾斜させたことにより光軸方向で前記ファインダ光学系に近づく側が、離れる側に対して前記撮像装置の上下方向で下方に位置するように配置される、
電子ビューファインダ装置。
【請求項３】
請求項１に記載の電子ビューファインダ装置を備えた撮像装置。
【請求項４】
請求項３に記載の撮像装置であって、
前記偏光板および透過板は、傾斜させたことにより光軸方向で前記ファインダ光学系に近づく側が、離れる側に対して前記撮像装置の上下方向で下方に位置するように配置される、
撮像装置。
【国際調査報告】
2010007747.tif 000029
2010007747.tif 000030
2010007747.tif 000031
2010007747.tif 000032